(57)【要約】【課題】画質が低下する。【解決手段】表示装置は、筐体と、前記筐体に配され、画像光を生成して出力する画像生成部と、前記筐体から露出して配され、前記画像光が投影されることにより画像が表示される被投影部と、前記筐体に配され、前記被投影部の一部の領域に前記画像光を投影して小投影表示する小投影部と、前記筐体の前記小投影部とは異なる位置に配され、前記一部の領域よりも大きく前記被投影部に前記画像光を投影して大投影表示する大投影部とを備える。【選択図】図４
2013122478.tif 000002
【特許請求の範囲】
【請求項１】
筐体と、
前記筐体に配され、画像光を生成して出力する画像生成部と、
前記筐体から露出して配され、前記画像光が投影されることにより画像が表示される被投影部と、
前記筐体に配され、前記被投影部の一部の領域に前記画像光を投影して小投影表示する小投影部と、
前記筐体の前記小投影部とは異なる位置に配され、前記一部の領域よりも大きく前記被投影部に前記画像光を投影して大投影表示する大投影部と
を備える表示装置。
【請求項２】
一の画像生成部が、前記小投影部と、前記大投影部とに前記画像光を出力する
請求項１に記載の表示装置。
【請求項３】
前記小投影部に前記画像光を出力する小投影位置と、前記大投影部に前記画像光を出力する大投影位置との間で前記画像生成部を移動させる移動部を更に備える
請求項２に記載の表示装置。
【請求項４】
前記画像生成部は、
前記小投影部に前記画像光を出力する小画像生成部と、
前記大投影部に前記画像光を出力する大画像生成部と
を有する請求項１に記載の表示装置。
【請求項５】
前記被投影部は、部分的に光を透過するＰＮ液晶を有する
請求項１から請求項４のいずれか１項に記載の表示装置。
【請求項６】
前記小投影部は、前記画像光の進行方向において、前記大投影表示よりも遠方で前記画像光を結像させる
を更に備える請求項１から請求項５のいずれか１項に記載の表示装置。
【請求項７】
前記大投影部は、前記画像生成部から出力される前記画像光を拡大して前記被投影部に投影する
請求項１から請求項６のいずれか１項に記載の表示装置。
【請求項８】
前記小投影部は、前記画像生成部の全面から出力された前記画像光を投影する
請求項１から請求項７のいずれか１項に記載の表示装置。
【請求項９】
前記小投影表示において、前記被投影部のうち、前記画像光が投影されていない領域で副画像光を出力する副画像生成部を更に備える
請求項１から請求項８のいずれか１項に記載の表示装置。
【請求項１０】
前記被投影部よりも遠方に前記画像光を拡大して投影する拡大投影部を更に有する
請求項１から請求項９のいずれか１項に記載の表示装置。
【請求項１１】
請求項１から請求項１０のいずれか１項に記載の表示装置と、
前記被投影部からユーザまでの距離を検出する距離検出部と、
前記距離検出部により検出されたユーザまでの距離に基づいて、前記小投影表示と前記大投影表示とを切り替える表示制御部と
を備える撮像装置。
【発明の詳細な説明】
【技術分野】
【０００１】
本発明は、表示装置及び撮像装置に関する。
【背景技術】
【０００２】
１個の表示装置によって２以上の画像の表示形式を実行する表示装置が知られている（例えば、特許文献１参照）。
［特許文献１］  特開平１１−２１５４０７号公報
【発明の概要】
【発明が解決しようとする課題】
【０００３】
この表示装置では、表示装置の全面によって表示してユーザが直接画像を見る場合と、表示装置の一部によって表示してファインダを介してユーザが画像を見る場合とがある。しかしながら、ユーザはファインダを介して画像を見る場合、画像が表示装置の一部の画素によって形成されているので、画質が低下するといった課題がある。
【課題を解決するための手段】
【０００４】
本発明の第１の態様においては、筐体と、前記筐体に配され、画像光を生成して出力する画像生成部と、前記筐体から露出して配され、前記画像光が投影されることにより画像が表示される被投影部と、前記筐体に配され、前記被投影部の一部の領域に前記画像光を投影して小投影表示する小投影部と、前記筐体の前記小投影部とは異なる位置に配され、前記一部の領域よりも大きく前記被投影部に前記画像光を投影して大投影表示する大投影部とを備える表示装置を提供する。
【０００５】
本発明の第２の態様においては、上述の表示装置と、前記被投影部からユーザまでの距離を検出する距離検出部と、前記距離検出部により検出されたユーザまでの距離に基づいて、前記小投影表示と前記大投影表示とを切り替える表示制御部とを備える撮像装置を提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】撮像装置１０の正面図である。
【図２】撮像装置１０の背面図である。
【図３】撮像装置１０の制御系を説明するブロック図である。
【図４】画像表示部１８を説明するための撮像装置１０の内部の概略平面図である。
【図５】画像表示部１８を説明するための撮像装置１０の内部の概略背面図である。
【図６】小投影表示における平面図である。
【図７】小投影表示における背面図である。
【図８】小投影表示における画像表示を説明する図である。
【図９】大投影表示における平面図である。
【図１０】大投影表示における背面図である。
【図１１】大投影表示における画像表示を説明する図である。
【図１２】副画像出力部１３０を有する画像表示部１１８の概略背面図である。
【図１３】副画像が表示されている画像表示を説明する図である。
【図１４】一部が変更された画像出力部２３０を有する画像表示部２１８の概略背面図である。
【図１５】分割部５７８を設けた画像表示部５１８の概略平面図である。
【図１６】拡大投影部６９０を有する画像表示部６１８の概略背面図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、撮像装置１０の正面図である。図２は、撮像装置１０の背面図である。図１に矢印で示す上下左右を撮像装置１０の上下左右方向とする。図１における紙面表側であって、被写体の存在する方向を撮像装置１０の前方とする。図１における紙面裏側であって、ユーザの存在する方向を撮像装置１０の後方とする。
【００１０】
図１及び図２に示すように、撮像装置１０は、筐体１２と、撮像レンズ部１４と、操作部１６と、画像表示部１８と、距離検出部２０とを備える。筐体１２、画像表示部１８及び距離検出部２０が、表示装置の一部である。
【００１１】
筐体１２は、中空状形状に形成されている。筐体１２は、各部材を保持または収容する。筐体１２は、樹脂または金属等によって構成される。
【００１２】
撮像レンズ部１４は、複数のレンズを有し、被写体像を筐体１２の内部で結像させる。撮像レンズ部１４は、筐体１２の前面に配されている。
【００１３】
操作部１６には、ユーザによって設定、指示等が入力される。操作部１６は、撮像するときに操作するためのレリーズボタン２２、画像の表示を切り替えるための表示切替スイッチ２４、各種の設定をする設定ボタン２６を有する。
【００１４】
画像表示部１８は、画像出力部３０と、小投影部３２と、大投影部３４と、被投影部３６とを備える。画像出力部３０は、筐体１２の内部に配されている。画像出力部３０は、画像表示のための画像光を生成して出力する。画像出力部３０は、例えば、撮像レンズ部１４を介して撮像されている画像の画像情報、記憶されている画像情報等に基づいて画像光を生成する。小投影部３２は、筐体１２の内部の上部に配されている。小投影部３２は、被投影部３６の一部の領域である小領域３８に、画像出力部３０が出力した画像光を投影する。そして、小投影部３２は、被投影部３６の後方に画像光を結像させて画像を小投影表示する。換言すれば、小投影部３２は、画像光の進行方向において、被投影部３６に結像させる大投影部３４よりも遠方で画像光を結像させる。これにより、小投影部３２と大投影部３４は、二焦点光学系を構成する。
【００１５】
大投影部３４は、筐体１２の内部の小投影部３２とは異なる位置に配されている。大投影部３４は、小投影部３２よりも下方であって、被投影部３６の左右方向に延びる中心線に沿って配されている。大投影部３４は、画像出力部３０が出力した画像光を拡大して、小領域３８よりも大きく被投影部３６に投影する。そして、大投影部３４は、被投影部３６の略全面に画像光を結像させて画像を大投影表示する。被投影部３６は、筐体１２の背面に露出して配されている。被投影部３６は、電圧の印加状態によって、部分的に光を透過させるＰＮ（Polymer Network）液晶パネルを有する。これにより、被投影部３６は、全面または部分的に画像光を透過または遮光することができる。被投影部３６には、画像出力部３０から画像光が投影されることにより画像が表示される。
【００１６】
距離検出部２０は、被投影部３６の近傍に配されている。距離検出部２０は、光等によって、被投影部３６からユーザまでの距離を検出する。距離検出部２０は、検出した距離を距離情報として出力する。
【００１７】
図３は、撮像装置１０の制御系を説明するブロック図である。図３に示すように、撮像装置１０は、制御部４０と、撮像部４２と、移動部４６と、調整部５０と、閃光部５２と、電源５４と、記憶部５６とを備える。画像出力部３０は、制御部４０に接続されたバックライト４４及び画像生成部４８を含む。また、距離検出部２０と、レリーズボタン２２と、表示切替スイッチ２４と、設定ボタン２６と、被投影部３６とが、制御部４０に接続されている。
【００１８】
制御部４０は、ＣＰＵを有し、撮像装置１０の制御全般を司る。制御部４０は、表示制御部の一例である。
【００１９】
撮像部４２は、ＣＣＤ（Charge Coupled Device）センサ、または、ＣＭＯＳ（Complementary Metal Oxide Semiconductor）センサ等の光電変換素子を有する。撮像部４２は、撮像レンズ部１４を介して入射した被写体像を光電変換素子によって電気的なアナログ信号に変換する。撮像部４２は、光電変換されたアナログ信号をデジタル変換した画像情報を制御部４０へと出力する。制御部４０は、入力された画像情報を記憶部５６に記憶させる。また、制御部４０は、入力された画像情報に基づいて、画像表示部１８に画像を表示させる。
【００２０】
バックライト４４は、平面矩形状の光を出力する。バックライト４４は、制御部４０から入力されるオン・オフ信号に従って、点灯状態と消灯状態に切り替わる。バックライト４４は、点灯状態において、画像生成部４８に白色光を出力する。
【００２１】
移動部４６は、モータ、ソレノイドアクチュエータ等を有する。移動部４６は、小投影部３２に画像光を投影する小投影位置と、大投影部３４に画像光を投影する大投影位置との間で画像出力部３０を移動させる。ここで、制御部４０は、距離検出部２０から入力される距離情報に基づいて、移動部４６を制御して、小投影表示と大投影表示とを切り替える。例えば、制御部４０は、距離検出部２０から入力された距離情報が記憶部５６に格納された距離閾値未満と判定すると、移動部４６を制御して、画像出力部３０を小投影位置へと移動させる。一方、制御部４０は、距離検出部２０から入力された距離情報が距離閾値以上と判定すると、移動部４６を制御して、画像出力部３０を大投影位置へと移動させる。また、制御部４０は、表示切替スイッチ２４から入力される表示切替信号に基づいて、移動部４６を制御して、画像出力部３０を小投影位置と大投影位置との間で移動させる。尚、移動部４６にメカニカルレール等を設け、手動によって画像出力部３０を移動させるように構成してもよい。
【００２２】
画像生成部４８は、透過型の液晶パネルを有する。画像生成部４８は、制御部４０から画像情報を取得する。画像生成部４８は、取得した画像情報に基づいて液晶パネルを制御して、バックライト４４から入力された白色光によって全面から画像光を生成して出力する。画像生成部４８は、移動部４６によって小投影位置に配置された状態では、画像光を小投影部３２へと出力する。これにより、画像生成部４８の全面から出力された画像光は、小投影部３２によって、被投影部３６の一部の領域である小領域３８に投影される。画像生成部４８は、移動部４６によって大投影位置に配置された状態では、画像光を大投影部３４へと出力する。これにより、画像生成部４８の全面から出力された画像光は、大投影部３４によって、被投影部３６の小領域３８よりも大きい領域、例えば、略全面に投影される。
【００２３】
調整部５０は、ユーザの設定に対応させて、オートフォーカス、自動露出、ホワイトバランス等の各調整を実行する。閃光部５２は、制御部４０の閃光指示に従って、一時的に発光する。電源５４は、充電可能な二次電池を有する。電源５４は、制御部４０に電力を供給する。
【００２４】
被投影部３６は、制御部４０からの透過指示に従って、電圧を部分的に印加して、全面または一部を光透過状態に設定する。換言すれば、被投影部３６は、制御部４０からの透過指示に従って、全面または一部を光遮蔽状態に設定する。具体的には、小投影表示では、被投影部３６は、小領域３８のみを透過状態にする。これにより、ユーザは、筐体１２の内部からの光の漏れが抑制された状態で、被投影部３６の小領域３８から画像光を視認することができる。また、大投影表示では、被投影部３６は、全面を透過状態に設定する。これにより、ユーザは、被投影部３６の略全面で画像光を視認できる。
【００２５】
レリーズボタン２２は、ユーザにより操作されると、レリーズ信号を制御部４０へと出力する。制御部４０は、レリーズ信号が入力されると、撮像部４２から入力される画像情報を記憶部５６に記憶させる。表示切替スイッチ２４は、ユーザにより操作されると、切替信号を制御部４０へと出力する。制御部４０は、切替信号が入力されると、小投影表示と大投影表示との間で表示を切り替える。設定ボタン２６は、ユーザにより操作されると、対応する設定情報を制御部４０へと出力する。制御部４０は、設定情報が入力されると、対応する設定を変更するとともに、その設定を記憶部５６に記憶させる。
【００２６】
図４は、画像表示部１８を説明するための撮像装置１０の内部の概略平面図である。図５は、画像表示部１８を説明するための撮像装置１０の内部の概略背面図である。
【００２７】
図４及び図５に示すように、画像表示部１８の画像出力部３０は、撮像レンズ部１４及び撮像部４２の右方に配置されている。画像出力部３０は、バックライト４４と、画像生成部４８と、投影レンズ部５８とを有する。バックライト４４、画像生成部４８、及び、投影レンズ部５８は、前後方向に延びるそれぞれの中心線が略一致するように前後方向に配列されている。
【００２８】
バックライト４４は、画像生成部４８の前方に配置されている。バックライト４４は、後方の画像生成部４８へと白色光を出力する。
【００２９】
画像生成部４８は、透過型液晶パネルを有する。画像生成部４８の大きさの一例は、１／３インチから２／３インチである。尚、被投影部３６の大きさの一例は、画像生成部４８の約１０倍である。画像生成部４８は、複数の画素領域に分割された液晶のうち、制御部４０からの画像情報に基づいて、所定の画素の液晶に電圧を印加する。これにより、画像生成部４８は、バックライト４４から入力された白色光を画像光に変換して出力する。
【００３０】
投影レンズ部５８は、画像生成部４８の前方に配置されている。投影レンズ部５８は、画像生成部４８から出力された画像光を拡大、縮小または平行光として出力する。
【００３１】
図５に示すように、画像出力部３０は、移動部４６によって、実線で示す小投影位置と、一点鎖線で示す大投影位置との間で移動する。小投影位置における画像出力部３０の中心は、小領域３８の中心と略同じ高さに配置されている。大投影位置における画像出力部３０の中心は、被投影部３６の中心と略同じ高さに配置されている。画像出力部３０は、画像表示のための画像光を生成して出力する。画像出力部３０は、例えば、撮像レンズ部１４を介して撮像されている画像の画像情報、記憶されている画像情報等に基づいて画像光を生成する。
【００３２】
図４及び図５に示すように、小投影部３２は、接眼光学系であって、前湾曲ミラー６０と、後湾曲ミラー６２とを有する。前湾曲ミラー６０の中心と後湾曲ミラー６２の中心は、小領域３８の中心と同じ高さに配置されている。
【００３３】
前湾曲ミラー６０は、小投影位置に配置されている画像出力部３０の後方に配置されている。前湾曲ミラー６０は、画像出力部３０と後湾曲ミラー６２との間に向けられた部分球面状の反射面を有する。前湾曲ミラー６０は、画像出力部３０から出力されて後方に進行する画像光を左方の後湾曲ミラー６２へと反射する。
【００３４】
後湾曲ミラー６２は、被投影部３６の小領域３８の後方に配置されている。後湾曲ミラー６２は、前湾曲ミラー６０と被投影部３６との間に向けられた部分球面状の反射面を有する。後湾曲ミラー６２は、前湾曲ミラー６０によって反射されて左方へと進行する画像光を後方の被投影部３６の小領域３８へと反射して、被投影部３６よりも数ｍｍから数ｃｍ程度後方の結像面６４で結像させる。
【００３５】
大投影部３４は、小投影部３２よりも下方に配されている。大投影部３４は、リアプロジェクション光学系であって、前自由曲面ミラー６６と、後自由曲面ミラー６８と、自由曲面レンズ７０とを有する。前自由曲面ミラー６６の中心と、後自由曲面ミラー６８の中心と、自由曲面レンズの中心は、被投影部３６の中心と略同じ高さに配置されている。
【００３６】
前自由曲面ミラー６６は、大投影位置に配置されている画像出力部３０の後方に配置されている。前自由曲面ミラー６６は、画像出力部３０と後自由曲面ミラー６８との間に向けられた自由曲面状の反射面を有する。前自由曲面ミラー６６は、画像出力部３０から出力されて後方に進行する画像光を左斜め前方に配置された後自由曲面ミラー６８へと反射する。
【００３７】
後自由曲面ミラー６８は、被投影部３６よりも前方であって、前自由曲面ミラー６６の左斜め前方に配置されている。後自由曲面ミラー６８は、前自由曲面ミラー６６と自由曲面レンズ７０との間に向けられた自由曲面状の反射面を有する。後自由曲面ミラー６８は、前自由曲面ミラー６６によって反射された画像光を自由曲面レンズ７０へと反射する。
【００３８】
自由曲面レンズ７０は、後自由曲面ミラー６８と被投影部３６との間に配置されている。自由曲面レンズ７０は、自由曲面の表面を有する。自由曲面レンズ７０は、後自由曲面ミラー６８によって反射された画像光を、被投影部３６の全面と略同形状となるように拡大して、被投影部３６の結像面７２に結像させる。
【００３９】
次に、小投影部３２における小投影表示について説明する。図６は、小投影表示における平面図である。図７は、小投影表示における背面図である。図８は、小投影表示における画像表示を説明する図である。図６において、大投影部３４は省略している。
【００４０】
小投影表示は、ユーザが表示切替スイッチ２４によって小投影表示を設定した場合に、制御部４０によって実行される。また、小投影表示は、図６に示すように、ユーザの目ＵＥが被投影部３６に近接して、距離検出部２０により検出された被投影部３６とユーザとの距離が距離閾値未満になった場合に自動で実行される。
【００４１】
小投影表示では、図７に示すように、制御部４０は、移動部４６を制御して画像出力部３０を小投影位置に配置する。これにより、画像出力部３０の中心は、被投影部３６の小領域３８の中心と略同じ高さとなる。また、小投影表示では、図８にドットハッチングで示すように、制御部４０は、被投影部３６の小領域３８以外の領域を遮光状態にする。次に、制御部４０は、バックライト４４をオン状態にする。尚、小投影表示では、バックライト４４の輝度を、大投影表示での輝度よりも低くしてもよい。バックライト４４から出力された白色光は画像生成部４８の略全面に入射する。
【００４２】
制御部４０は、画像情報に基づいて、画像生成部４８の各画素に印加する電圧を制御する。ここでいう画像情報は、記憶部５６に記憶されている画像、及び、撮像部４２によって撮像中の画像に関する情報を含む。これにより、画像生成部４８が、バックライト４４から出力された白色光から画像情報の画像に対応する画像光８０を生成する。画像生成部４８は、生成した画像光８０を全面から出力する。
【００４３】
画像生成部４８が出力した画像光８０は、投影レンズ部５８を透過した後、前湾曲ミラー６０によって後湾曲ミラー６２へと反射される。画像光８０は、後湾曲ミラー６２によって反射された後、被投影部３６の小領域３８に投影されて、被投影部３６の後方の結像面６４に結像する。これにより、画像が、被投影部３６に接近したユーザの目ＵＥの内部に小領域３８と略同じ大きさの画像が小投影表示される。この結果、ユーザは、画像を見ることができる。ここで、ユーザは、目ＵＥの内部で画像が結像されるので、画像を小領域３８よりも大きな画像として認識する。
【００４４】
次に、大投影部３４における大投影表示について説明する。図９は、大投影表示における平面図である。図１０は、大投影表示における背面図である。図１１は、大投影表示における画像表示を説明する図である。図９において、小投影部３２は省略している。
【００４５】
大投影表示は、ユーザが表示切替スイッチ２４によって大投影表示を設定した場合に制御部４０によって実行される。また、大投影表示は、図９に示すように、ユーザの目ＵＥが被投影部３６から離れて、距離検出部２０により検出された被投影部３６とユーザとの距離が距離閾値以上になった場合に自動で実行される。
【００４６】
大投影表示では、図１０に示すように、制御部４０は、移動部４６を制御して画像出力部３０を大投影位置に配置する。これにより、画像出力部３０の中心は、被投影部３６の中心と略同じ高さとなる。また、大投影表示では、図１１に示すように、制御部４０は、被投影部３６の全面を透過状態にする。
【００４７】
次に、制御部４０は、バックライト４４をオン状態にする。バックライト４４から出力された白色光は画像生成部４８の略全面に入射する。
【００４８】
制御部４０は、画像情報に基づいて、画像生成部４８の各画素に印加する電圧を制御する。これにより、画像生成部４８が、バックライト４４から出力された白色光から画像情報の画像に対応する画像光８２を生成する。画像生成部４８は、生成した画像光８２を全面から出力する。
【００４９】
画像生成部４８が出力した画像光８２は、投影レンズ部５８を透過した後、前自由曲面ミラー６６によって、後自由曲面ミラー６８へと反射される。画像光８２は、後自由曲面ミラー６８によって自由曲面レンズ７０へと反射される。画像光８２は、自由曲面レンズ７０によって拡大されて、被投影部３６の全面へと投影される。画像光８２は、被投影部３６の内部で、被投影部３６の全面の大きさで結像して大投影表示される。これにより、ユーザは被投影部３６の全面の大きさに拡大された画像を見ることができる。
【００５０】
上述したように撮像装置１０の画像表示部１８は、異なる大きさで被投影部３６に画像光を投影する小投影部３２及び大投影部３４を備える。これにより、画像生成部４８の全面から画像光を出力させつつ、異なる大きさの画像をユーザに提供することができる。この結果、画像表示部１８は、画像の大きさを変えても、画質を維持することができる。更に、ユーザは、小投影表示させた状態で小領域３８を接眼窓として覗き込みつつ撮像装置１０に接近することで、撮像装置１０を安定させることができる。これにより、ユーザは撮像時の手振れ等を抑制できる。また、ユーザは、大投影表示させることにより、遠点視認ができるので、目の疲れ等を抑制できる。
【００５１】
画像表示部１８では、小投影部３２が画像光を投影する小領域３８と、大投影部３４が画像光を投影する領域とが、被投影部３６の領域に含まれる。これにより、撮像装置１０において別途設けられていたファインダを省略することができるので、撮像装置１０を小型化できる。
【００５２】
画像表示部１８は、画像生成部４８を含む画像出力部３０を小投影位置及び大投影位置の間で移動させる移動部４６を有する。これにより、画像表示部１８は、１個の画像生成部４８によって、小投影部３２及び大投影部３４に画像光を提供することができる。この結果、画像表示部１８は、構成を簡略化することができる。
【００５３】
被投影部３６は、部分的に光を透過可能なＰＮ液晶パネルを有する。これにより、被投影部３６は、小投影表示において、小領域３８以外の領域を遮光状態にできる。この結果、被投影部３６は、筐体１２の内部から漏れる光を遮断できるので、ユーザは漏れ光に妨げられることなく、画像を見ることができる。また、バックライト４４の輝度を小投影表示の場合には低輝度に設定して、大投影表示の場合には高輝度に設定することによって、表示に対応した視認性とすることができる。
【００５４】
小投影部３２は、画像光を被投影部３６よりも遠方の結像面６４で結像させる。これにより、ユーザは、目ＵＥを結像面６４に配置することによって、画像を見ることができる。
【００５５】
撮像装置１０では、距離検出部２０が被投影部３６からユーザまでの距離を検出して、検出された距離に基づいて、制御部４０が小投影表示と大投影表示とを切り替えることができる。これにより、ユーザは、自己と被投影部３６との距離を変えることによって、表示を切り替えることができる。これにより、撮像装置１０は、表示に関する操作を簡略化できる。
【００５６】
図１２は、副画像出力部１３０を有する画像表示部１１８の概略背面図である。図１２に示すように、画像表示部１１８は、副画像出力部１３０を有する。副画像出力部１３０は、被投影部３６の中心の左斜め下方に配置されている。副画像出力部１３０は、副バックライト１４４と、副画像生成部１４８とを有する。副バックライト１４４は、被投影部３６の前方に配されている。副画像生成部１４８は、被投影部３６のＰＮ液晶パネルのうち、小投影表示において画像光が投影されていない領域である副領域１３８のＰＮ液晶パネルによって構成される。副画像生成部１４８は、副バックライト１４４と略同じ大きさに形成されている。副画像生成部１４８の全面は、背面から見て、副バックライト１４４と略重なる。副画像生成部１４８は、副バックライト１４４から入力される白色光の一部を遮光することによって副画像光を生成する。これにより、副画像生成部１４８は、被投影部３６のうち、副領域１３８から副画像光を出力する。
【００５７】
図１３は、副画像が表示されている画像表示を説明する図である。図１３に示すように、画像表示部１１８では、小投影表示において、被投影部３６のうち、小領域３８とは重ならない異なる副領域１３８に、副画像出力部１３０が出力した副画像光による副画像が表示される。これにより、ユーザは、副領域１３８に表示された副画像を見ることができる。ここで、副画像は、被投影部３６に結像されているので、ユーザは、小領域３８の画像を見る場合よりも、被投影部３６から離れた位置で副画像を見る。副画像の一例は、露出、シャッター速度、残りの撮像可能枚数等の種々の情報である。これにより、ユーザは、小投影表示において、被投影部３６の余白に形成された副領域１３８を介して情報等の画像を見ることができる。
【００５８】
図１４は、一部が変更された画像出力部２３０を有する画像表示部２１８の概略背面図である。図１４に示すように、画像出力部２３０は、小画像出力部３３０と、大画像出力部４３０とを有する。
【００５９】
小画像出力部３３０は、小投影部３２の前湾曲ミラー６０の前方に配置されている。小画像出力部３３０は、小バックライト３４４と、小画像生成部３４８と、小投影レンズ３５８とを有する。小画像生成部３４８は、小バックライト３４４から入力される白色光によって画像光を生成する。小画像生成部３４８は、小投影レンズ３５８を介して、画像光を小投影部３２へと出力する。
【００６０】
大画像出力部４３０は、大投影部３４の前自由曲面ミラー６６の前方に配置されている。大画像出力部４３０は、大バックライト４４４と、大画像生成部４４８と、大投影レンズ４５８とを有する。大画像生成部４４８は、大バックライト４４４から入力される白色光によって画像光を生成する。大画像生成部４４８は、大投影レンズ４５８を介して、画像光を大投影部３４へと出力する。
【００６１】
画像表示部２１８は、一対の小画像生成部３４８及び大画像生成部４４８を有する。これにより、小画像生成部３４８を含む小画像出力部３３０及び大画像生成部４４８を含む大画像出力部４３０を移動させることなく、小投影表示及び大投影表示を提供できる。
【００６２】
図１５は、分割部５７８を設けた画像表示部５１８の概略平面図である。図１５に示すように、画像表示部５１８は、分割部５７８を有する。分割部５７８は、投影レンズ部５８と、前湾曲ミラー６０及び前自由曲面ミラー６６との間に配置されている。分割部５７８は、半透過型の反射ミラーを適用できる。分割部５７８は、画像出力部３０から出力された画像光の一部を小投影部３２へと反射または透過して、画像光の残りを大投影部３４へと反射または透過する。これにより、画像出力部３０は、同時に画像光を小投影部３２及び大投影部３４へと提供できる。この結果、画像表示部５１８は、同時に、且つ、異なる位置に小投影表示による画像、及び、大投影表示による画像を表示できる。ユーザは、表示を切り替えることなく、自己の位置を調整することにより、小投影表示による画像または大投影表示による画像を見ることができる。また、撮像装置は、移動部等の機械的な表示の切替機構を省略できる。尚、分割部５７８によって小投影表示及び大投影表示を同時に実現することは一例であって、他の二焦点光学系によって、小投影表示及び大投影表示を同時に実現してもよい。
【００６３】
図１６は、拡大投影部６９０を有する画像表示部６１８の概略背面図である。図１６に示すように、画像表示部６１８では、画像出力部３０が、移動部４６によって、拡大投影位置へと移動可能に構成されている。拡大投影位置は、大投影位置よりも下方に配置されている。
【００６４】
拡大投影部６９０は、被投影部３６から数十ｃｍから数ｍ遠方のスクリーン等に画像を拡大して投影する。拡大投影部６９０は、前拡大ミラー６９２と、後拡大ミラー６９４と、凸面湾曲拡大ミラー６９６とを有する。前拡大ミラー６９２は、拡大投影位置に配置された画像出力部３０の後方に配置されている。後拡大ミラー６９４は、前拡大ミラー６９２の左方に配置されている。凸面湾曲拡大ミラー６９６は、前拡大ミラー６９２の左斜め後方に配置されている。
【００６５】
拡大表示では、被投影部３６の拡大領域６９８のみが透過状態に設定される。拡大領域６９８は、被投影部３６の一部の領域であって、小領域３８とは異なる領域に形成される。画像出力部３０から出力された画像光は、前拡大ミラー６９２によって、後拡大ミラー６９４へと反射される。画像光は、後拡大ミラー６９４によって凸面湾曲拡大ミラー６９６へと反射される。この後、画像光は、凸面湾曲拡大ミラー６９６によって拡大されて投影される。ここで画像光は、例えば、被投影部３６から数十ｃｍから数ｍ離れた位置に結像される。これにより、画像光は、拡大されてスクリーン上に画像として表示される。尚、この実施形態では、画像出力部３０が、拡大投影部６９０用の画像光を出力したが、拡大投影部用の画像出力部を別に設けてもよい。例えば、拡大投影部として、液晶プロジェクタ、デジタルミラーデバイスを用いたプロジェクタ、ＬＣＯＳ（Liquid Crystal On Silicon）プロジェクタ等を適用してもよい。
【００６６】
上述の実施形態では、被投影部３６がＰＮ液晶パネルを有するとしたが、被投影部３６にＰＮ液晶パネルに代えて、光を透過及び遮光可能な部材を設けてもよい。例えば、被投影部３６がすりガラス板を有するようにしてもよい。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６９】
１０  撮像装置、        １２  筐体、        １４  撮像レンズ部、        １６  操作部、        １８  画像表示部、        ２０  距離検出部、        ２２  レリーズボタン、        ２４  表示切替スイッチ、        ２６  設定ボタン、        ３０  画像出力部、        ３２  小投影部、        ３４  大投影部、        ３６  被投影部、        ３８  小領域、        ４０  制御部、        ４２  撮像部、        ４４  バックライト、        ４６  移動部、        ４８  画像生成部、        ５０  調整部、        ５２  閃光部、        ５４  電源、        ５６  記憶部、        ５８  投影レンズ部、        ６０  前湾曲ミラー、        ６２  後湾曲ミラー、        ６４  結像面、        ６６  前自由曲面ミラー、        ６８  後自由曲面ミラー、        ７０  自由曲面レンズ、        ７２  結像面、        ８０  画像光、        ８２  画像光、        １１８  画像表示部、        １３０  副画像出力部、        １３８  副領域、        １４４  副バックライト、        １４８  副画像生成部、        ２１８  画像表示部、        ２３０  画像出力部、        ３３０  小画像出力部、        ３４４  小バックライト、        ３４８  小画像生成部、        ３５８  小投影レンズ、        ４３０  大画像出力部、        ４４４  大バックライト、        ４４８  大画像生成部、        ４５８  大投影レンズ、        ５１８  画像表示部、        ５７８  分割部、        ６１８  画像表示部、        ６９０  拡大投影部、        ６９２  前拡大ミラー、        ６９４  後拡大ミラー、        ６９６  凸面湾曲拡大ミラー、        ６９８  拡大領域
【図１】
2013122478.tif 000003
【図２】
2013122478.tif 000004
【図３】
2013122478.tif 000005
【図４】
2013122478.tif 000006
【図５】
2013122478.tif 000007
【図６】
2013122478.tif 000008
【図７】
2013122478.tif 000009
【図８】
2013122478.tif 000010
【図９】
2013122478.tif 000011
【図１０】
2013122478.tif 000012
【図１１】
2013122478.tif 000013
【図１２】
2013122478.tif 000014
【図１３】
2013122478.tif 000015
【図１４】
2013122478.tif 000016
【図１５】
2013122478.tif 000017
【図１６】
2013122478.tif 000018